【事件の表示】
　平成　７年特許願第３４８４７５号「デジタル計測値のシリアル送信方法」拒絶査定不服審判事件〔平成　８年１２月　３日出願公開、特開平　８−３２０９８８〕について、次のとおり審決する。
【結　論】
　本件審判の請求は、成り立たない。
【理　由】
１．手続の経緯
　本願は、平成７年１２月８日（パリ条約による優先権主張１９９４年１２月９日、ドイツ国）に出願したものであって、平成１７年８月２３日付けで拒絶理由（同年８月３０日発送）が通知され、平成１８年２月２８日付けで明細書又は図面についての手続補正がなされ、同年４月１３日付けで拒絶査定（同年４月２５日発送）がなされ、これに対し、同年７月２５日に拒絶査定不服審判が請求されたものである。
　なお、平成１８年８月２５日付け提出の手続補正書に係る手続は、同年９月１日付で却下理由（同年９月１２日発送）が通知され、同年１０月２６日付けで手続却下の決定（同年１１月１７日発送）により却下された。
　
　
２．本願発明の認定
　本願の請求項１乃至１７に係る発明は、平成１８年２月２８日付け手続補正書の特許請求の範囲の請求項１乃至１７に記載されたとおりのものであるところ、請求項１に係る発明（以下「本願発明」という。）は、上記手続補正書の特許請求の範囲の請求項１に記載される事項により特定される、以下のとおりのものである。
　
「【請求項１】 センサーにより連続的に供給され、送信機端にデジタル形式で発生する計測値を受信機に送信するデジタル計測値のシリアル送信方法において、前記計測値が短い時間間隔で確認されるので個々に先行して確認された計測値からの増加変化値である偏差の範囲が＋１，０，−１であり、従って前記計測値は符号を表すビットと偏差の値を表すビットの計２ビットで表わすことができ、予め決定されている時間内に発生する複数の計測値のうち、ただ１つの計測値については完全値として完全に送信され、他の計測値については前記ただ１つの計測値に関連した増加変化値が送信され、そして、受信機端では、送信機端に発生する計測値に対応した仮想計測値が、完全に送信された前記完全値に対し、送信された前記増加変化値を、値及び符号の点に関し正確に加算することにより合成されることを特徴とするデジタル計測値のシリアル送信方法。」
　
　
２．引用例の記載事項及び引用例に記載された発明
２−１．引用例の記載事項
　原査定の拒絶の理由において引用された、本願の優先日前に頒布された刊行物である実願昭４９−１７１９５号（実開昭５０−１０８３０３号）のマイクロフィルム（以下「引用例」という。）には、以下の（ア）乃至（セ）の事項が図面とともに記載されている。
　
　（ア）「本考案は例えば心電計等の医療測定器から出力されるアナログ生体情報をデジタル量に変換して伝送するデータ伝送装置に関するものである。」
（明細書１頁１７〜２０行）
　（イ）「上記欠点を除き高精度な心電図波形を伝送するには心電図波形をデジタル値のデータに変換して伝送することが理想的である。しかし、心電図波形をデジタル値のデータとして伝送するには下記に述べるような問題があった。
　すなわち、デジタル信号の伝送速度は２４００bit／secが最大であるのに対し、心電図波形の診断率を損なわない心電図波形の最低分解能は１０bit，２５０Samples／secである。故に、上記デジタル信号の伝送速度では心電図波形の分解能を満足させる事ができない。従って、デジタル信号による心電図波形の伝送は実際問題として困難であった。」
（明細書２頁１６行〜３頁８行）
　（ウ）「次にこのように構成された本装置の動作を説明する。心電計１から送出された心電波形は、第２図に示すように1／250秒毎にサンプリングされると共に、そのサンプリングされた各サンプル電圧Ａ１，Ａ２…Ａｘ…Ａｎがそれぞれ１０ビットのデジタル信号Ｂ１，Ｂ２…Ｂｘ…Ａｎ（当審註：『Ｂｎ』の誤記である。）に変換されて並列的にＡレジスタ３へ送込まれる。」
（明細書６頁１５行〜７頁１行）
　（エ）「ここでデジタル値Ｂｘ−１を第一のデジタル値とした場合減算器５にはＡレジスタ３からシフトされるデジタル値Ｂｘ−１「０００１１０００００」とＢレジスタ４からシフトされる「００００００００００」とが入力されることになる。従って減算器５は（Ｂｘ−１）−０なる演算をしてその差Ｃｘ−１「０００１１０００００」を出力する。」
（明細書７頁１０〜１７行）
　（オ）「次にＡレジスタ３がＢレジスタ４と減算器５とにデジタル値Ｂｘ「００１０００００００」をシフトしたとき減算器５にはＢレジスタ４からＢｘ−１のデジタル値「０００１１０００００」がシフトされる。従って減算器５は（Ｂｘ）−（Ｂｘ−１）すなわち「００１０００００００」−「０００１１０００００」なる演算をしてその差Ｃｘ「００００１０００００」を出力する。従って減算器５の出力は第３図（ｂ）に示す如くなる。」
（明細書７頁１７行〜８頁６行）
　（カ）「次に上記の減算器５の出力Ｃｘ−１，Ｃｘはそれぞれ並列的な配列のまま、シリアル−パラレル変換器６（当審註：『パラレル−シリアル変換器６』の誤記である。）に入力し、第３図（ｃ）に示すようにパラレル−シリアル変換器６によって１０ビットの並列的な配列から最初のサンプルを除き８ビットの直列的な配列に変換される。」
（明細書８頁６〜１１行）
　（キ）「そしてこのようにして８ビットの直列的な配列に変換された各デジタル値Ｄ１，Ｄ２…Ｄｘ…Ｄｎは送信機７に入力し、受信機８に伝送される。」
（明細書８頁１２〜１４行）
　（ク）「一方受信機においては受信機８に入力した各デジタル値Ｄ１，Ｄ２…Ｄｘ…Ｄｎはシリアル−パラレル変換器９によって第３図（ｄ）に示すようにその配列を直列的な配列から並列的な配列に変換される。」
（明細書８頁１５〜１９行）
　（ケ）「そしてこれらの並列的な配列された各デジタル値Ｄ１，Ｄ２…Ｄｘ…Ｄｎは順次加算器１０に入力し、それぞれ１つ前のデジタル値の加算結果のデジタル値Ｂ１，Ｂ２…Ｂｘ…Ｂｎに加算される。すなわち第３図（ｅ）に示すようにデジタル値Ｄｘ−１「０００１１０００００」は一つ前のデジタル値「００００００００００」と加算され、デジタル値Ｂｘ−１「０００１１０００００」となる。次に入力するデジタル値Ｄｘ「００１０００００」は一つ前のデジタル値「０００１１０００００」と加算され、デジタル値Ｂｘ「００１０００００００」となる。」
（明細書８頁１９行〜９頁１０行）
　（コ）「上記加算器１０の出力Ｂｘ−１，Ｂｘ…はＤ−Ａ変換器１１によりアナログ量に変換され、第２図に示すような元のアナログ信号となる。かくしてこのアナログ信号を監視することにより、遠隔した場所において心電図等の生体情報を確認できる。」
（明細書９頁１０〜１５行）
　（サ）「尚、本考案は上述した一実施例に限定されるものではなく、例えば本考案の一実施例においては各デジタル値の差Ｄ１，Ｄ２…Ｄｘ…Ｄｎを８ビットで示したが、各デジタル値の差が小さい場合には８ビットより少ないビット数で示し、心電図波形のデータをさらに圧縮することができる。」（明細書１０頁２０行〜１１頁６行）
　（シ）「パラレル−シリアル変換器６は減算器５から並列的に出力される各デジタル値の差Ｃ１，Ｃ２…Ｃｘ…Ｃｎを並列的な配列から直列的な配列に変換して送出するものである。なおこの配列変換に際しては、最初のサンプルについては１０ビットそのままとし、他のサンプルについては上位桁から例えば２ビット分カットし８ビット分をデータとして配列するようにする。」
（明細書５頁７〜１４行）
　（ス）「そして前記パラレル−シリアル変換器６に接続する送信機７は直列的に配列されたデジタル値の差Ｄ１，Ｄ２…Ｄｘ…Ｄｎを心電図波形のデータＤとして受信機８にシリアルに伝送するものである。」
（明細書５頁１５〜１９行）
　（セ）図面の第２図には、『縦軸が電圧Ｖ，横軸が時刻ｔの心電波形のグラフが示されており、各サンプル電圧Ａ１，Ａ２…Ａｘ−１，Ａｘ…Ａｎはこの順に時刻が進行した1／250秒毎の時点での値であり、また、心電波形は連続的なアナログ信号である。』点が記載されている。
　
２−２．引用例に記載された発明
　（１−１）上記（ア）の記載から、引用例のものは『心電計等の医療測定器から出力されるアナログ生体情報をデジタル量に変換して伝送するデータ伝送装置』に関するものであるが、上記（ウ）の「次にこのように構成された本装置の動作を説明する」という記載から明らかなように、引用例にはデータ伝送装置の動作に関する方法、すなわちデータ伝送方法についての記載がなされているものといえる。したがって、引用例のものは『心電計等の医療測定器から出力されるアナログ生体情報をデジタル量に変換して伝送するデータ伝送方法』であると認められる。
　（１−２）また、上記（ウ）の「心電計１から送出された心電波形は、第２図に示すように1／250秒毎にサンプリングされると共に、」という記載から、引用例のものは『心電計１により第２図に示されている心電波形が送出されている』ものであり、また、上記（セ）の記載から『心電波形は連続的』である。したがって、引用例のものは『心電計１により連続的に心電波形が送出されている』ものと認められる。
　（１−３）また、上記（ウ）に記載の「心電波形」は、上記（ウ）の記載から明らかなように「各サンプル電圧Ａ１，Ａ２…Ａｘ…Ａｎ」を経由して「デジタル信号Ｂ１，Ｂ２…Ｂｘ…Ｂｎ」に変換されている。また、「デジタル信号Ｂ１，Ｂ２…Ｂｘ…Ｂｎ」は、上記（エ）（オ）（カ）（シ）の記載から明らかなように、「各デジタル値の差Ｃ１，Ｃ２…Ｃｘ…Ｃｎ」を経由して「各デジタル値Ｄ１，Ｄ２…Ｄｘ…Ｄｎ」に変換されている。したがって、「各デジタル値Ｄ１，Ｄ２…Ｄｘ…Ｄｎ」は「心電波形」が変換されたものであるから、『心電波形変換値』であるといえる。
　（１−４）また、上記（キ）の記載から、引用例のものは『各デジタル値Ｄ１，Ｄ２…Ｄｘ…Ｄｎは送信機７に入力されている』ものである。そして、「各デジタル値Ｄ１，Ｄ２…Ｄｘ…Ｄｎ」は当然デジタル形式であり、また、上記（１−３）の検討事項よれば、『心電波形変換値』でもある。したがって、引用例のものは『送信機７にデジタル形式で心電波形変換値が発生する』ものである。
　（１−５）また、上記（キ）の記載から明らかなように、引用例のものは『送信機７から受信機８に伝送される』ものであり、また、上記（ス）の記載から明らかなように、この伝送はシリアル伝送である。
　（１−６）以上（１−１）乃至（１−５）の検討事項に基づけば、引用例のものは『心電計等の医療測定器により連続的に心電波形が送出され、送信機７にデジタル形式で発生する心電波形変換値を受信機８に伝送する、アナログ生体情報をデジタル量に変換してシリアル伝送するデータ伝送方法』であるものと認められる。
　
　（２−１）上記（ウ）の「心電計１から送出された心電波形は、第２図に示すように1／250秒毎にサンプリングされると共に、」という記載から明らかなように、引用例のものにおいて『心電波形変換値が1／250秒間隔で確認される』ものである。
　（２−２）また、上記（オ）の記載から、引用例のものにおいて『（Ｂｘ）−（Ｂｘ−１）なる演算をしてその差がＣｘ』である。また、「（Ｂｘ−１）」，「（Ｂｘ）」は、上記（１−３）の検討事項によれば、「心電波形」が「各サンプル電圧Ａ１，Ａ２…Ａｘ…Ａｎ」を経由して変換された「心電波形変換値」であり、かつ、上記（セ）の記載によれば、「Ａｘ−１」は「Ａｘ」に対して時刻的に先行しており、かつ「（Ｂｘ−１）」，「（Ｂｘ）」はそれぞれ「Ａｘ−１」，「Ａｘ」と対応関係にあるから、これらを踏まえれば、『（Ｂｘ−１）は（Ｂｘ）に先行して確認された心電波形変換値』であり、更に『（Ｂｘ）−（Ｂｘ−１）は、時刻的に先行する（Ｂｘ）からの増加変化値（減少変化の場合も考えられるが、この場合はマイナスの増加変化といえる。）である偏差』である。また、上記（カ）（キ）の記載によれば、『差Ｃｘは計８ビットで表されている』。
　（２−３）以上（２−１），（２−２）の検討事項に基づけば、引用例のものは『心電波形変換値が1／250秒間隔で確認されるので、個々に先行して確認された心電波形変換値からの増加変化値である偏差の範囲が計８ビットで表わすことができる』ものと認められる。
　
　（３−１）上記（エ）の「・・・減算器５は（Ｂｘ−１）−０なる演算をしてその差Ｃｘ−１・・・を出力する。」という記載から、Ｃｘ−１は（Ｂｘ−１）と０との差であり、よって、引用例のものは『Ｃｘ−１＝（Ｂｘ−１）』である。また、上記「（Ｂｘ−１）」は、上記（１−３）の検討事項によれば、「心電波形」が変換された「心電波形変換値」である。また、上記（カ）（キ）の記載によれば、『Ｃｘ−１は１０ビットのままＤｘ−１として伝送』される。したがって、引用例のものは『心電波形変換値である（Ｂｘ−１）＝Ｃｘ−１についてはＤｘ−１として１０ビットのまま伝送される』ものと認められる。
　（３−２）また、上記（オ）の「・・・減算器５は（Ｂｘ）−（Ｂｘ−１）・・・なる演算をしてその差Ｃｘ・・・を出力する。・・・」という記載から、引用例のものは『Ｃｘ＝（Ｂｘ）−（Ｂｘ−１）』である。また、上記「（Ｂｘ）」は、上記（１−３）の検討事項によれば、「心電波形」が変換された「心電波形変換値」である。また、上記（２−１）の検討事項によれば『「（Ｂｘ）−（Ｂｘ−１）」は増加変化値』である。また、上記（カ）（キ）の記載によれば、『Ｃｘは８ビットのＤｘに変換されてから伝送』される。したがって、引用例のものは『心電波形変換値である（Ｂｘ）については増加変化値Ｃｘ＝（Ｂｘ）−（Ｂｘ−１）なる演算をした後８ビットのＤｘに変換されてから伝送される』ものと認められる。
　（３−３）また、上記（カ）の「・・・出力Ｃｘ−１，Ｃｘはそれぞれ並列的な配列のまま、パラレル−シリアル変換器６に入力し、第３図（ｃ）に示すようにパラレル−シリアル変換器６によって１０ビットの並列的な配列から最初のサンプルを除き８ビットの直列的な配列に変換される。」という記載から、８ビットに変換されないサンプル、すなわち１０ビットのままのものは、最初のものただ１つであるといえる。そして、サンプルＣｘ−１，Ｃｘ等の総数は、例えば上記（シ）の「各デジタル値の差Ｃ１，Ｃ２…Ｃｘ…Ｃｎ」という記載等によれば、ｎ個であるから、サンプリング期間は、上記（ウ）の記載によれば1／250秒毎にサンプリングされるので、1／250×ｎ秒である。また、サンプルＣｘ−１，Ｃｘ等は、上記（１−３）の検討事項によれば、「心電波形」が変換された「心電波形変換値」である。したがって、引用例のものは『1／250×ｎ秒のサンプリング期間内にｎ個の心電波形変換値であるＣｘ−１，Ｃｘ等のサンプルが発生する』ものである。
　（３−４）以上（３−１）乃至（３−３）の検討事項に基づけば、引用例のものは『1／250×ｎ秒のサンプリング期間内に発生するｎ個の心電波形変換値であるＣｘ−１，Ｃｘ等のサンプルのうち、ただ１つの心電波形変換値である（Ｂｘ−１）＝Ｃｘ−１についてはＤｘ−１として１０ビットのまま伝送され、心電波形変換値である（Ｂｘ）については増加変化値Ｃｘ＝（Ｂｘ）−（Ｂｘ−１）なる演算をした後８ビットのＤｘに変換されてから伝送される』ものと認められる。
　
　（４）上記（ク）（ケ）の「一方受信機においては・・・第３図（ｅ）に示すようにデジタル値Ｄｘ−１「０００１１０００００」は一つ前のデジタル値「００００００００００」と加算され、デジタル値Ｂｘ−１「０００１１０００００」となる。次に入力するデジタル値Ｄｘ「００１０００００」は一つ前のデジタル値「０００１１０００００」と加算され、デジタル値Ｂｘ「００１０００００００」となる。」という記載において、「一つ前のデジタル値「０００１１０００００」」は「デジタル値Ｂｘ−１「０００１１０００００」」と同じ値であるから、ＤｘはＢｘ−１と加算されてＢｘとなったものといえる。したがって、引用例のものは『受信機では、ＢｘがＢｘ−１に対してＤｘを加算することにより合成される』ものである。
　
　以上から引用例には、
『心電計等の医療測定器により連続的に心電波形が送出され、送信機７にデジタル形式で発生する心電波形変換値を受信機８に伝送する、アナログ生体情報をデジタル量に変換してシリアル伝送するデータ伝送方法において、心電波形変換値が1／250秒間隔で確認されるので、個々に先行して確認された心電波形変換値からの増加変化値である偏差の範囲が計８ビットで表わすことができ、1／250×ｎ秒のサンプリング期間内に発生するｎ個の心電波形変換値であるＣｘ−１，Ｃｘ等のサンプルのうち、ただ１つの心電波形変換値である（Ｂｘ−１）＝Ｃｘ−１についてはＤｘ−１として１０ビットのまま伝送され、心電波形変換値である（Ｂｘ）については増加変化値Ｃｘ＝（Ｂｘ）−（Ｂｘ−１）なる演算をした後８ビットのＤｘに変換されてから伝送され、そして、受信機では、ＢｘがＢｘ−１に対してＤｘを加算することにより合成される、アナログ生体情報をデジタル量に変換してシリアル伝送するデータ伝送方法。』
（以下「引用発明」という。）が記載されているものと認められる。
　
　
３．対比
　本願発明と引用発明を対比する。
　（１）まず、引用発明の「心電計等の医療測定器」，「送出」，「送信機７」，「心電波形変換値」，「受信機８」，「伝送」，「アナログ生体情報をデジタル量に変換してシリアル伝送するデータ伝送方法」，「ｎ個」，「ただ１つの心電波形変換値である（Ｂｘ−１）＝Ｃｘ−１」，「Ｄｘ−１」，「心電波形変換値である（Ｂｘ）」，「Ｄｘ」は、それぞれ本願発明の「センサー」，「供給」，「送信機端」，「計測値」，「受信機」，「送信」，「デジタル計測値のシリアル送信方法」，「複数」，「ただ１つの計測値」，「完全値」，「他の計測値」，「増加変化値」に相当する。
　（２）また、引用発明の「1／250秒間隔」について、上記「２．」「２−１．」（イ）の「・・・心電図波形の診断率を損なわない心電図波形の最低分解能は１０bit，２５０samples／secである。・・・」という記載から明らかなように、上記「1／250秒」という時間間隔は心電図波形の最低分解能を担保するために選定された値であって、一般に波形の分解能を良好にするためには時間間隔を短く選定されているものといえるので、「1／250秒間隔」は短い時間間隔であると認められる。したがって、引用発明の「1／250秒間隔」は本願発明の「短い時間間隔」に相当する。
　（３）また、引用発明の「1／250×ｎ秒のサンプリング期間」について、一般に「ｎ」という表記は任意値の集合を包括的に指し示すために用いるものといえるが、少なくとも引用発明のデータ伝送方法を実施するに当たり、「ｎ」の値は上記任意値の集合の中から予め具体的に決定されるべきものと考えられる。そして、「ｎ」の値が予め決定されれば「1／250×ｎ秒のサンプリング期間」も予め決定される時間であることは明らかである。したがって、引用発明の「1／250×ｎ秒のサンプリング期間」は本願発明の「予め決定されている時間」に相当する。
　（４）また、一方で、引用発明の「個々に先行して確認された心電波形変換値からの増加変化値である偏差の範囲が計８ビットで表わすことができ」について、偏差の範囲を表すビット数が具体的には計８ビットである点を除けば、『個々に先行して確認された心電波形変換値からの増加変化値である偏差の範囲が所定ビットで表わすことができる』ものといえる。他方で、本願発明の「個々に先行して確認された計測値からの増加変化値である偏差の範囲が＋１，０，−１であり、従って前記計測値は符号を表すビットと偏差の値を表すビットの計２ビットで表わすことができ」についても、偏差の範囲が具体的には＋１，０，−１であり、従って計２ビットである点を除けば、『個々に先行して確認された計測値からの増加変化値である偏差の範囲が所定ビットで表わすことができる』ものといえる。したがって、本願発明と引用発明とでは、『個々に先行して確認された計測値からの増加変化値である偏差の範囲が所定ビットで表わすことができる』点において共通している。
　（５）また、引用発明の「ただ１つの心電波形変換値である（Ｂｘ−１）＝Ｃｘ−１についてはＤｘ−１として１０ビットのまま伝送され」ているのであるから、（Ｂｘ−１）＝Ｃｘ−１は１０ビットの完全値として送信されているものといえる。したがって、引用発明の「Ｄｘ−１として１０ビットのまま伝送され」は本願発明の「完全値として完全に送信され」に相当する。
　（６）また、引用発明の「心電波形変換値である（Ｂｘ）については増加変化値Ｃｘ＝（Ｂｘ）−（Ｂｘ−１）なる演算をした後８ビットのＤｘに変換されてから伝送され」ており、ここで、Ｄｘは増加変化値Ｃｘ＝（Ｂｘ）−（Ｂｘ−１）を８ビットに変換した値であるから、Ｄｘは（Ｂｘ−１）に関連した増加変化値である。したがって、引用発明の「増加変化値Ｃｘ＝（Ｂｘ）−（Ｂｘ−１）なる演算をした後８ビットのＤｘに変換されてから伝送され」は本願発明の「ただ１つの計測値に関連した増加変化値が送信され」に相当する。
　（７）また、引用発明の「受信機では、ＢｘがＢｘ−１に対してＤｘを加算することにより合成される」における「Ｂｘ」は心電波形変換値であり、これは「送信機７にデジタル形式で発生する心電波形変換値」が伝送されてきたものであるから、「受信機では、ＢｘがＢｘ−１に対してＤｘを加算することにより合成される」における「Ｂｘ」は「送信機７にデジタル形式で発生する心電波形変換値」に対応した値である。したがって、引用発明の「受信機では、ＢｘがＢｘ−１に対してＤｘを加算することにより合成される」における「Ｂｘ」は「送信機７にデジタル形式で発生する心電波形変換値」に対応した値である点は、本願発明の「仮想計測値」が「送信機端に発生する計測値」に対応した値である点に相当している。
　（８）また、引用発明の「加算」について、一般に「加算」とは、特段の事情の無い限り、値及び符号の点に関し正確に行われるものと考えられる。したがって、引用発明の「加算」は本願発明の「値及び符号の点に関し正確に加算」に相当している。
　
　したがって、本願発明と引用発明とは、
《一致点》
『センサーにより連続的に供給され、送信機端にデジタル形式で発生する計測値を受信機に送信するデジタル計測値のシリアル送信方法において、前記計測値が短い時間間隔で確認されるので個々に先行して確認された計測値からの増加変化値である偏差の範囲が所定ビットで表わすことができ、予め決定されている時間内に発生する複数の計測値のうち、ただ１つの計測値については完全値として完全に送信され、他の計測値については前記ただ１つの計測値に関連した増加変化値が送信され、そして、受信機端では、送信機端に発生する計測値に対応した仮想計測値が、完全に送信された前記完全値に対し、送信された前記増加変化値を、値及び符号の点に関し正確に加算することにより合成される、デジタル計測値のシリアル送信方法。』である点で一致し、以下の点で相違している。
　
《相違点》
　個々に先行して確認された計測値からの増加変化値である偏差の範囲が、本願発明は『＋１，０，−１であり、従って符号を表すビットと偏差の値を表すビットの計２ビットで表わすことができる』のに対して、引用発明では『計８ビットで表わすことができる』点。
　
　
４．判断
　上記相違点について検討する。
　原則として数値の最適化を計ることは、当業者が通常行う程度の設計変更に過ぎない。また、上記「２．」「２−１．」（サ）の「尚、本考案は上述した一実施例に限定されるものではなく、例えば本考案の一実施例においては各デジタル値の差Ｄ１，Ｄ２…Ｄｘ…Ｄｎを８ビットで示したが、各デジタル値の差が小さい場合には８ビットより少ないビット数で示し、心電図波形のデータをさらに圧縮することができる。」という記載から明らかなように、引用例には、引用発明における「８ビット」という数値を、偏差が少ない場合にはこれよりも少ないビット数に変更する点についての示唆がされている。そして、引用発明において、心電波形をサンプリングする時間間隔を短くすることや心電波形の電圧値を小さくする等の設定状況如何によっては、偏差は少なくなるものと考えられる。したがって、引用発明において『個々に先行して確認された計測値からの増加変化値である偏差の範囲』を表すことができるビット数を、『計８ビット』からこれよりも少ないビット数である『計２ビット』に変更することは、当業者にとって容易に想到し得る設計変更であると認められる。
　また、一方で、引用発明により測定される心電波形はその名のとおり波形データであるから、時刻変化に伴って増減をほぼ同じ割合で繰り返すものである。よって、引用発明においては『個々に先行して確認された計測値からの増加変化値である偏差の範囲』は正方向（増加の場合）と負方向（減少の場合）にほぼ同じ割合で及ぶと共に、これらの中間としての変化しない場合（増減０の場合）にも及ぶものであり、さらに、心電波形の少ない偏差に対応するためには、増減０の場合の「０」と、最小の変化量としての「＋１」と「−１」を包含する必要があることから、引用発明の『個々に先行して確認された計測値からの増加変化値である偏差の範囲』は、少なくとも増減０の場合の「０」と，最小の変化量としての「＋１」と「−１」の計３個の各偏差パターンを包含する必要がある。
　また、他方で、引用発明において『個々に先行して確認された計測値からの増加変化値である偏差の範囲』として『計２ビット』を採用の場合には、『計２ビット』は２桁の『０』と『１』の組み合わせであるから『００』，『０１』，『１０』，『１１』の４パターンしか存在しないので、上記計３個の各偏差パターンに対して、その符号も含めて４パターン以内でしか割り当てることができない。
　したがって、引用発明において『計２ビット』の４パターンを、増加の場合の「＋１」，減少の場合の「−１」，及び増減０の場合の「０」の計３個の偏差パターンにそれぞれ割り当てることによって、『個々に先行して確認された計測値からの増加変化値である偏差の範囲』を『＋１，０，−１であり、従って符号を表すビットと偏差の値を表すビットの計２ビットで表わすことができる』ようにすることは、上述した『個々に先行して確認された計測値からの増加変化値である偏差の範囲』を、『計８ビット』から『計２ビット』に変更することに付随する程度の設計変更に過ぎず、これは当業者の通常の創作能力の発揮で成し得る程度のものと認められる。
　そして、本願発明の作用効果は『送信線路が少ないというシリアル送信方法の本来の利点は保持するとともに、送信速度がパラレル送信方法と匹敵するかそれ以上に優れている』であり、上記作用効果は、『デジタル計測値のシリアル送信において、個々に先行して確認された計測値からの増加変化値である偏差の範囲が＋１，０，−１であり、従って計測値は符号を表すビットと偏差の値を表すビットの計２ビットで表わす』ことによって、デジタル計測値を増加変化値というデータ容量的に小さな値に変換してシリアル送信されることから奏せられているものと考えられる。
　これに対して、引用発明は『デジタル計測値のシリアル送信において、個々に先行して確認された計測値からの増加変化値である偏差の範囲が計８ビットで表わす』ものであり、本願発明と同様に、デジタル計測値を増加変化値というデータ容量的に小さな値に変換してシリアル送信するものであるから、作用効果の量的な差異はさておき、『送信線路が少ないというシリアル送信方法の本来の利点は保持するとともに、送信速度が優れている』という、本願発明と同質の作用効果を奏するものと考えられる。
　また、本願発明では『偏差の範囲が計２ビット』で表すことができるのに対して、引用発明では『偏差の範囲が計８ビット』で表すことができることから、両者の作用効果には、ビット数の違いに基づいた量的な差異が存在するものと認められる。
　しかしながら、引用例には上述したとおり、「８ビット」という数値を、偏差が少ない場合にはこれよりも少ないビット数に変更する点についての示唆がされており、一般に伝送データのビット数を少なくすれば送信速度が優れることは当業者において自明である。よって、偏差の範囲を計８ビットから計２ビットに変更したことに基づいて生じる量的な作用効果の差異は、引用発明に接した当業者にとって充分に予測し得る程度のものである考えられる。
　したがって、本願発明の作用効果は、引用発明のものとの比較において、異質な効果であるとも、あるいは同質の効果であるが際だって優れた効果であるともいえず、引用例の記載及び本願出願時における技術水準から当業者が予測することができる範囲内のものである。
　
　なお、審判請求人は、審判請求書の請求の理由において、「本件発明は図１に開示されているような送信機により、制御スイッチ及びコンシューマによりシリアル信号を伝送する方法であります。確かに、シリアル信号の差分データにより差分データだけを伝送して信号を復元する伝送方法は開示されておりますが、引例１には本件発明の段落００３０〜段落００５４に開示している技術は示唆も開示もされておりません。例え、伝送される際の信号のデータが同じであっても、送信機及び受信機で生成及び復元される際に使用されるデータ及び装置が異なると、全く別の発明の伝送方式であると考えられます。」と主張している。
　しかしながら、本願発明の認定の基礎となる平成１８年２月２８日付け手続補正書の特許請求の範囲の請求項１には「制御スイッチ及びコンシューマ」といった発明特定事項は記載されていないので、上記主張は特許請求の範囲の記載に基づかない主張であり、この主張を採用することはできない。
　
　
５．むすび
　以上のとおり、本願発明は、引用発明に基づいて、当業者が容易に発明をすることができたものであるから、特許法第２９条第２項の規定により特許を受けることができない。
　したがって、他の請求項に係る発明については論及するまでもなく、本願は拒絶すべきものである。
　よって、結論のとおり審決する。